(57)【要約】      （修正有）【課題】前面着脱が可能となされているにも関わらず、防音パネルの形成に係わる作業を簡便なものとできる防音パネルの取付構造を提供する。【解決手段】防音パネル１の左右端の一方が第二の支柱２Ｂに取り付けられた取付部材３に取り付けられることで、防音パネル１の左右端の一方は支柱２のフランジ２１間に挿入するのみでよく、防音パネル１の左右端の両方を特殊な形状とする必要がないことから、前面着脱が可能となされているにも関わらず、防音パネル１の形成に係わる作業を簡便なものとできる。【選択図】        図１
2007031935.tif 000002
【特許請求の範囲】
【請求項１】
第一の支柱と第二の支柱との間に前面側から防音パネルが着脱可能に取り付けられる取付構造であって、前記防音パネルの左右端の、いずれか一方が断面Ｈ型となされた前記第一の支柱のフランジ間に挿入され、他方が前記第二の支柱に取り付けられた取付部材に取り付けられていることを特徴とする防音パネルの取付構造。
【請求項２】
前記左右端は、左右縦枠材により形成され、前記左右縦枠材が略同一の断面形状となされていることを特徴とする請求項１に記載の防音パネルの取付構造。
【発明の詳細な説明】
【技術分野】
【０００１】
本発明は、高速道路沿いや鉄道沿線に設置され、防音壁を形成するのに適用される前面着脱式の防音パネルの取付構造に関するものである。
【背景技術】
【０００２】
防音壁は、一般に防音パネルを段積みして壁状に形成されるものであるが、防音パネルを段積みするにおいては、Ｈ型鋼からなる支柱の上端からフランジ間に順次防音パネルの両端を挿入して落とし込み、固定バネを用いて固定する方法が施工の簡便性や取り付けの確実性から最もよく用いられてきている。しかし、防音パネルを支柱上端まで持ち上げることが困難であったり、支柱がＲ曲げされて上端からの挿入が不可能であったりする場合には、前面から取り付け可能な防音パネルが好適に用いられ、この様な前面着脱式の防音パネルの取付構造が種々開示されてきている。
【０００３】
例えば、防音パネル本体と、この防音パネル本体の両側部に沿って設けられて施工時にＨ型支柱の溝内に挿入される側枠とからなり、防音パネル本体は有孔前面板と遮音背面板を有する箱体内に吸音材が挿入され、箱体の両側部背面に取付用凹部が設けられ、側枠は背面側に上記取付用凹部に適合する取付用凸部を有する断面略Ｌ形状の中空体となされ、内部に落下防止ワイヤーが挿通されるようになされ、上記取付用凹部に取付用凸部が嵌合され、防音パネル本体の前面板を介して箱体内に埋入されたボルトにより防音パネル本体と側枠の上記嵌合部が着脱自在に取付けられた防音パネルが開示されている（例えば特許文献１）。
【０００４】
また、所定間隔をおいて立設された複数本の支柱と該支柱間に上下に積み重ねられる複数段の防音板とからなる防音壁において、防音板本体の左右両端部の前後にそれぞれ取付片が形成され、前方の取付片は左右ともその幅が支柱の幅のほぼ二分の一となされ、後方の取付片の幅は左右いずれか一方の幅が広く、他方の幅がせまくなされた前面着脱式防音板が開示されている（例えば特許文献２）。
【０００５】
【特許文献１】特開平６−４９８１２号公報
【特許文献２】特開平１１−３０３０２６号公報
【発明の開示】
【発明が解決しようとする課題】
【０００６】
しかしながら、特許文献１及び２に記載のような従来の前面着脱式の防音パネルの取付構造では、防音パネルの左右両端を特殊な形状とする必要があり、防音パネルの形成に係わる作業が繁雑なものとなっていた。
【０００７】
本発明は上記の如き課題に鑑みてなされたものであり、前面着脱が可能となされているにも関わらず、防音パネルの形成に係わる作業を簡便なものとできる防音パネルの取付構造を提供せんとするものである。
【課題を解決するための手段】
【０００８】
上記目的を達成するため、本発明は以下のような構成としている。すなわち、本発明に係わる防音パネルの取付構造は、第一の支柱と第二の支柱との間に前面側から防音パネルが着脱可能に取り付けられる取付構造であって、前記防音パネルの左右端の、いずれか一方が断面Ｈ型となされた前記第一の支柱のフランジ間に挿入され、他方が前記第二の支柱に取り付けられた取付部材に取り付けられていることを特徴とするものである。
【０００９】
本発明に係わる防音パネルの取付構造によれば、防音パネルの左右端の一方が支柱のフランジ間に挿入するのみでよく、防音パネルの左右端の両方を特殊な形状とする必要がないことから、前面着脱が可能となされているにも関わらず、防音パネルの形成に係わる作業を簡便なものとできる。
【００１０】
また前記左右端は、左右縦枠材により形成され、前記左右縦枠材が略同一の断面形状となされていれば、支柱のフランジ間に挿入される一方の左右端と、取付部材に取り付けられる他方の左右端とを同じ枠材により形成することで、左右端の形成に用いる材料を共通のものとして形成に係わる作業を更に簡便なものとでき好ましい。
【発明の効果】
【００１１】
本発明に係わる防音パネルの取付構造によれば、防音パネルの左右端の一方が支柱のフランジ間に挿入するのみでよく、防音パネルの左右端の両方を特殊な形状とする必要がないことから、前面着脱が可能となされているにも関わらず、防音パネルの形成に係わる作業を簡便なものとできる。
【発明を実施するための最良の形態】
【００１２】
本発明に係わる最良の実施の形態について、図面に基づき以下に具体的に説明する。
【００１３】
図１は、本発明に係わる防音パネルの取付構造の、実施の一形態を示す横断面図である。断面Ｈ型の鋼材からなる第一の支柱２Ａは、前後のフランジ２１間にウエーブ２２が設けられたもので、第二の支柱２Ｂについても同じ断面形状となされている。第一の支柱２Ａと第二の支柱２Ｂとの間には、防音パネル１が取り付けられて防音壁が形成されている。防音パネル１は、左右縦枠材１１間に透明板１２が取り付けられて形成されたもので、左右縦枠材１１によって防音パネル１の左右端が形成されている。第一の支柱２Ａ側の左右縦枠材１１Ａと、第二の支柱２Ｂ側の左右縦枠材１１Ｂとは同一の断面形状となされ、一方の左右縦枠材１１Ａは支柱２のフランジ２１間に挟まれて固定バネＳ１により固定されているが、他方の左右縦枠材１１Ｂについては、支柱２のフランジ２１間に固定バネＳ２により固定された取付部材３と、左右縦枠材１１Ｂとに挿通されたボルトＢにナットＮが螺着されることで、取付部材３に取り付けられているものである。
【００１４】
取付部材３は、第一の支柱２Ａ側の側端３１が第二の支柱２Ｂの前面側αのフランジ２１よりも第一の支柱２Ａ側に突設され、第二の支柱２Ｂ側の左右縦枠材１１Ｂがその側端３１を用いて取り付けられることで、防音パネル１が前面側αから円滑に取り付けられるようになされている。
【００１５】
図２は、図１に示した防音パネルの取付構造における防音パネル１の取り付けを示す横断面図である。まず（ａ）において、第一の支柱１Ａのフランジ２１間に、左右縦枠材１１Ａを前面側から防音パネル１を斜めにしつつ挿入する。通常、左右縦枠材１１Ａと支柱２Ａのウエーブ２２との間には支柱２の間隔誤差や防音パネル１の寸法誤差等を吸収するための間隔Ｋが設けられており、その間隔Ｋ分を利用して左右縦枠材１１Ａはフランジ２１間に深く挿入することができる。左右縦枠材１１Ａをフランジ２１間に挿入した状態で、前面側αから左右縦枠材１１Ａを軸にして防音パネル１を水平方向に回動させて左右縦枠材１１Ｂを取付部材３の側端３１近傍に移動させる。ここで左右縦枠材１１Ａが第一の支柱２Ａのフランジ２１間に間隔Ｋ分深く挿入されていることで、防音パネル１の回動時に第二の支柱２Ｂのフランジ２１に左右縦枠材１１Ｂが当たって邪魔になることがなく、左右縦枠材１１Ｂは円滑に側端３１近傍まで移動させることができる。
【００１６】
次に（ｂ）において、取付部材３は固定バネＳ２により固定された状態となされ、取付部材３の側端３１内面には予めナットＮが固着されている。側端３１近傍に移動された左右縦枠材１１Ｂには、工具孔１３から左右縦枠材１１Ｂ内に挿入されたボルトＢが左右縦枠材１１Ｂと取付部材３とに挿通されて、工具孔１３から挿入した工具によってナットＮに螺着されることで、ボルトＢ及びナットＮにより左右縦枠材１１Ｂが取付部材３に取り付けられる。ボルトＢ及びナットＮは、防音パネル１の上下方向に複数設けておくのが好ましい。尚、第一の支柱２Ａ側の固定バネＳ１は、左右縦枠材１１Ａをフランジ２１間に挿入して水平方向の位置合わせを行った時点で取り付けてもよく、左右縦枠材１１Ａと取付部材３とがボルトＢ及びナットＮにより固定された後に取り付けるようにしてもよい。更に、ボルトＢのナットＮへの螺着後、工具孔１３を蓋やキャップ等により塞いで美観を向上させておくのが好ましい。
【００１７】
左右縦枠材１１Ｂと取付部材３との固定方法は、ボルトＢ及びナットＮを用いるのが簡便な方法で高い固定強度を得ることができ好適であるが、それに限定されるものではなく取り付け強度が確保できるものであればリベット、クリップ、レール胴縁とボルト・ナット、ワイヤー等適宜のものを用いることができる。
【００１８】
また防音パネル１についても、面板１２を枠体により固定したものに限定されず、取付部材３に取り付け可能なものであれば汎用の吸音板、板状の遮音板、扉パネル等適宜のものを用いることができる。また本発明に係わる取付構造は、Ｒ付きの支柱や重量が大きく支柱の上端まで持ち上げるのが困難な防音パネルに好適に適用できることから、大型の吸音板、遮音板、透光板、扉パネル等に好適に適用することができる。
【００１９】
図３は、本発明に係わる防音パネルの取付構造の、他の実施形態を示す横断面図である。図１の実施形態と同様に、第一の支柱２Ａのフランジ２１間に一方の左右縦枠材１１Ａが挿入されて固定バネＳ１により固定されているが、他方の左右縦枠材１１Ｂ及び取付部材３は各々断面Ｌ字状となされ、その断面Ｌ字状が噛み合わされてボルトＢ及びナットＮにより固定されている。かかる断面Ｌ字状を噛み合わせて取り付けることで、前面側αからの取付部材３とのクリアランスが拡大されて、支柱２の間隔誤差や防音パネル１の寸法誤差等の吸収が更に容易となり、また音漏れの恐れを小さくすることができる。
【図面の簡単な説明】
【００２０】
【図１】本発明に係わる防音パネルの取付構造の、実施の一形態を示す横断面図である。
【図２】図１に示した防音パネルの取付構造における防音パネルの取り付けを示す横断面図である。
【図３】本発明に係わる防音パネルの取付構造の、他の実施形態を示す横断面図である。
【符号の説明】
【００２１】
１    防音パネル
１１  左右縦枠材
２Ａ  第一の支柱
２Ｂ  第二の支柱
２１  フランジ
３    取付部材
【図１】
2007031935.tif 000003
【図２】
2007031935.tif 000004
【図３】
2007031935.tif 000005